(57)【特許請求の範囲】
【請求項１】
雑誌などの集積物における重なり合う表紙同志の付着をはがして、一冊ずつ分離するようにした集積物の分離装置において、
前記集積物の両側縁部の一方側から表紙同志の付着をはがした後、他方側からその付着をはがすべく、第１および第２の二つのステージが設けられ、
前記第１ステージにおける集積物の両側縁部の一方に隣接して配され、該一方の側縁部を上下方向から押え込み可能な、また、前記第２ステージにおける集積物の両側縁部の他方に隣接して配され、該他方の側縁部を上下方向から押え込み可能な一組のクランプ部材と、
前記各ステージにおいて、集積物を挟んで前記クランプ部材とは反対側に配され、集積物を側方向から押え付けるとともに、前記クランプ部材が押え込み状態にある際に、上方へ移動可能に構成された添え板部材と、
前記各ステージにおいて、前記添え板部材の下端部近傍位置にそれぞれ配され、雑誌の側縁部と平行な水平軸を中心に回転可能、かつ、前記添え板部材と一体的に上昇可能であって、前記添え板部材が上昇した際に、前記添え板部材の下端から下方へ外れる雑誌を、その回転ブラシで集積物側からかき落し可能な分離用のブラシ部材とから成ることを特徴とする集積物の分離装置。
【発明の詳細な説明】
【０００１】
【産業上の利用分野】
本発明は、雑誌などの集積物における重なり合う表紙同志の付着をはがして、一冊ずつ分離するようにした集積物の分離装置に関する。
【０００２】
【従来の技術】
従来、雑誌などの集積物における重なり合う表紙同志の付着を人手で分離して、分離した集積物を、例えば、集積物の計数装置に搬入するようにしていた。
【０００３】
集積物の計数装置においては、集積物がリフト機構により雑誌一冊分ずつ上昇し、その上昇に応じて計数機構が雑誌を水平方向へ一冊ずつ押し出して、集積物を階段状にして、所定数の計数物にするものである。
【０００４】
【発明が解決しようとする課題】
しかしながら、このような従来の技術では、表紙同志の付着を人手で分離しているため、分離作業に手間がかかって作業性が良くなく、確実に分離されないで、集積物の中に表紙同志が付着している箇所があると、計数機構が雑誌を一冊ずつ押し出せなくなって、例えば、冊数の補正作業が必要になり、この点からも作業性がよくないという問題点があった。
本発明は、このような従来の問題点に着目してなされたもので、雑誌などの表紙同志の付着を分離する作業を自動的かつ確実にして、雑誌などの冊数を的確に計数するようにし、作業性を向上することができる集積物の分離装置を提供することを目的としている。
【０００５】
【課題を解決するための手段】
かかる目的を達成するための本発明の要旨とするところは、
雑誌などの集積物における重なり合う表紙同志の付着をはがして、一冊ずつ分離するようにした集積物の分離装置において、
前記集積物の両側縁部の一方側から表紙同志の付着をはがした後、他方側からその付着をはがすべく、第１および第２の二つのステージが設けられ、
前記第１ステージにおける集積物の両側縁部の一方に隣接して配され、該一方の側縁部を上下方向から押え込み可能な、また、前記第２ステージにおける集積物の両側縁部の他方に隣接して配され、該他方の側縁部を上下方向から押え込み可能な一組のクランプ部材（４０）と、
前記各ステージにおいて、集積物を挟んで前記クランプ部材（４０）とは反対側に配され、集積物を側方向から押え付けるとともに、前記クランプ部材（４０）が押え込み状態にある際に、上方へ移動可能に構成された添え板部材（５０）と、
前記各ステージにおいて、前記添え板部材（５０）の下端部近傍位置にそれぞれ配され、雑誌の側縁部と平行な水平軸を中心に回転可能、かつ、前記添え板部材（５０）と一体的に上昇可能であって、前記添え板部材（５０）が上昇した際に、前記添え板部材（５０）の下端から下方へ外れる雑誌を、その回転ブラシ（７５）で集積物側からかき落し可能な分離用のブラシ部材（７０）とから成ることを特徴とする集積物の分離装置に存する。
【０００７】
【作用】
集積物が本装置に搬入されると、一組のクランプ部材（４０）が、集積物の両側縁部にそれぞれ隣接して配され、同じく、一対の添え板部材（５０）が、集積物の両側縁部にそれぞれ隣接して配されるようになる。
次に、一対の添え板部材（５０）が集積物を側方向から押え付けるととともに、一対のクランプ部材（４０）の一方が集積物の両側縁部の一方を上下方向から押え込む。
次に、他方のクランプ部材（４０）と対を成す方の添え板部材（５０）が上昇すると、当該添え板部材（５０）の下端から集積物を構成する雑誌等が一冊ずつ外れるようになる。このとき、外れた一冊の雑誌等の表紙が集積物側の表紙と付着していると、単に添え板部材（５０）から外れただけでは、前記付着により自重によっても集積物側から分離されないが、当該添え板部材（５０）の下端部近傍位置に配された分離用のブラシ部材（７０）が、当該添え板部材（５０）の下端から下方へ外れる雑誌を、その回転ブラシ（７５）で集積物側から強制的にかき落すようになるため、当該添え板部材（５０）の下端から下方へ外れる雑誌は確実に集積物側から分離される。
【０００８】
このようにして、集積物の両側縁部の一方側が雑誌一冊ずつ分離された後、同じようにして、集積物の両側縁部の他方側が雑誌一冊ずつ分離される。
集積物の両側縁部の一方側のみの表紙同志が付着している場合には、付着している側の分離用のブラシ部材（７０）の回転ブラジ（７５）で付着をかき落とすようにすればよく、他方側の分離用のブラシ部材（７０）は動作させる必要がなく、また、そのような場合には、他方側の分離用のブラシ部材（７０）を設けないものであってもよい。
【０００９】
【実施例】
以下、図面に基づき本発明の一実施例を説明する。
図１〜図９は本発明の一実施例を示している。
図１および図２に示すように、本実施例にかかる集積物の分離装置３０は、雑誌などの集積物を図外の計数スタック装置へ搬入するための搬入路２０の途中に配設されている。計数スタック装置は、雑誌などの集積物の冊数を計数して、所定冊数に積み重ねた被結束物を搬出するものである。集積物は、例えば、雑誌の束であって、結束が解かれた状態で搬入路２０へ送り込まれる。
【００１０】
図２および図３に示すように、搬入路２０は搬入コンベア２１を備え、搬入コンベア２１の始端が供給位置になっており、その終端が待機位置になっている。搬入コンベア２１は、常時複数の集積物が累積可能なアキューム式のコンベアである。搬入コンベア２１の待機位置には、集積物の分離位置に搬入する手前で集積物に当接して集積物を待機可能なストッパ部材２２と、待機位置において集積物を留置可能なコンベアユニット２３とが設けられている。コンベアユニット２３は、搬送ローラ上を集積物が一体的かつ相対的に移動可能なもので、スプロケット駆動方式のチェーン２４に回転可能に搬送ローラ２５が支持されて成る。
【００１１】
分離位置には、雑誌の両側縁部の一方側から表紙同志の付着をはがした後、他方側からその付着をはがすべく、第１および第２の二つのステージが設けられ、各ステージにおいて、前記コンベアユニット２３がそれぞれ設けられている。各ステージの手前側と奥側には、プッシャ２６で集積物を両側方向の一方から押し込んで、他方側の揃え板２７に押し付けて揃えるための揃え機構２５が設けられている。
図１および図２に示すように、２つのステージには集積物の分離装置３０がそれぞれ配設され、各ステージにおける集積物の分離装置３０はその構成が互いに逆の仕様になっている。以下、第１ステージにおける集積物の分離装置３０を代表して説明し、第２ステージ側の説明に代える。
集積物の分離装置３０は、集積物の両側縁部の一方に隣接して配され、一方の側縁部を上下方向から押え込み可能なクランプ部材４０と、集積物の他方の側縁部に隣接して配される一対の添え板部材５０とを備えている。
【００１２】
クランプ部材４０と添え板部材５０とは搬入コンベア２１を間にして反対側に配されており、クランプ部材４０と添え板部材５０との両側方向の間隔を調節可能にして、雑誌の両側方向の幅の広狭に対応するために、間隔調整機構６０が備えられている。クランプ部材４０側のベース部材４１にはスライド部材４２が固設され、同じく、添え板部材５０側のロアベース部材５１にはロアスライド部材５２が固設されている。図１および図７〜図９に示すように、間隔調整機構６０のベース部材６１には、長手方向を雑誌の両側方向と平行にしたロアガイドレール６２が固着され、ロアガイドレール６２にはスライド部材４２およびロアスライド部材５２が案内移動可能に嵌合している。ベース部材６１には、ベアリング部材６６，６７を介して、両側方向と平行に伸びるスクリュー部材６３が固設され、スクリュー部材６３には一対のナット部材６４，６５が螺合しており、ナット部材６４側にはベース部材４１が連結され、ナット部材６５側にはアッパガイドレール５３が連結されている。スクリュー部材６３は図外のモータにより回転するものである。
【００１３】
図１および図６に示すように、ベース部材４１はスライド部材４２に立設され、スライド部材４２には、ガイドロッド４３が上下方向に延設されている。ガイドロッド４３にはスライドブロック４４が上下移動可能に支持され、スライドブロック４４にクランプ部材４０が固設されている。スライドブロック４４はシリンダ部材４５を介してスライド部材４２に支持されている。また、スライド部材４２には、搬入コンベア２１上に載置される集積物の側面に当てがうための固定板４６が支持されている。
図１、図４および図５に示すように、ロアベース部材５１には、その長手方向をロアガイドレール６２の長手方向と平行にしたアッパガイドレール５３が固設され、アッパガイドレール５３にはアッパスライド部材５４が案内移動可能に嵌合している。アッパスライド部材５４にはアッパベース部材５５が立設されている。アッパベース部材５５には、シリンダ部材５６を介して、集積物の側面に当てがわれる当て板５７が支持されている。
アッパベース部材５５には、スライドレール５８が上下方向へ延設され、スライドレール５８には、スライドブロック５９を介して添え板部材５０が下降位置と上昇位置とに上下移動可能に支持されている。アッパベース部材５５にはシリンダ部材５９ａが固設され、シリンダ部材５９ａの出力軸がスライドブロック５９に連結されている。
【００１４】
アッパベース部材５５には上下方向に歯部を連設して成るラック部材７１が固定されている。スライドブロック５９には、集積物の搬入方向に対して平行な水平軸７２が支持されるとともに、ラック部材７１に噛合するアイドルギア７３が回転可能に支持されている。水平軸７２には、添え板部材５０の下縁近傍位置にそのブラシ端が覗くようにして、アイドルギア７３が噛合する回転ブラシ７５が回転可能に軸支されている。
【００１５】
同じく、添え板部材５０の下縁近傍位置にその吹出口を覗かせて、回転ブラシ７５が雑誌表面同志の付着をはがして表紙と表紙との間に隙間が形成された際に、その隙間に圧縮空気を吹き込み、表紙同志のはがれを確実にするためのエアノズル８０が配設されている。ラック部材７１〜回転ブラシ７５により分離用のブラシ部材７０が構成されている。
アッパガイドレール５３には、添え板部材５０および分離用のブラシ部材７０を両側方向へ進退させるためのシリンダ部材８５が支持され、シリンダ部材８５の出力軸がアッパベース部材５５に連結されている。
アッパベース部材５５には、集積物の下面であって、添え板部材５０側の側縁部を、下降位置にある添え板部材５０の位置に相当する高さだけ上方へ突き上げるための、突き上げ部材８６が設けられている。
【００１６】
次に作用を説明する。
結束された集積物を、例えば、人手により供給位置の手前に載せ、結束ひもや上下の当紙を取り去る。次に、搬入路２０の搬入コンベア２１により集積物が供給位置から待機位置に搬送される。このとき、集積物がストッパ部材２２に当接しており、かつ、揃え機構２５により集積物が、両側方向に揃えられた状態でクランプ部材４０側に押し込まれる。
間隔調整機構６０によりクランプ部材４０と添え板部材５０との間の間隔は雑誌の両側方向の幅の大小に応じて調整されている。
次に、シリンダ部材４５が作動して、クランプ部材４０が原位置から下降して、集積物の上面であって、両側縁部の一方を下方へ押し込む。それにより、クランプ部材４０と搬入コンベア２１とによって、集積物の両側縁部の一方が上下方向から押え込まれるようになる。
【００１７】
次に、突き上げ部材８６が集積物の下面側縁部を、下降位置にある添え板部材５０の高さまで突上げる。前後して、シリンダ部材５６が作動して、アッパベース部材５５が両側方向へ進出し、当て板２６が集積物の両側面の他方を押し込む。
次に、シリンダ部材８５が作動して、添え板部材５０を両側方向へ進出させ、添え板部材５０が集積物の側面下部に押し当てるようにする。
次に、突き上げ部材８６が原位置に没入するとともに、シリンダ部材５９ａが作動して、スライドブロック５９が上昇する。それにより、集積物の最下段の雑誌から上へ順番に、その側縁部が添え板部材５０から下方へ外れるようになる。このとき、ラック部材７１に噛合するアイドルギア７３が回転して、回転ブラシ７５が図１において反時計方向へ回転する。そのため回転ブラシ７５が、添え板部材５０から下方へ外れる雑誌を次々にかき落とすようになる。それにより、雑誌の表紙同志の付着がはがれるようになる。
【００１８】
このようにして、添え板部材５０が下降位置から上昇位置に移動すると、集積物の一方の側縁部側の雑誌の表紙同志の付着が全て強制的にはがされる。
次に、シリンダ部材５６およびシリンダ部材８５が初期位置に後退するとともに、クランプ部材４０が原位置に上昇し、第１ステージにおける集積物の分離工程が終了する。
次に、集積物が第１ステージから第２ステージに移動する。第２ステージにおいては、第１ステージでクランプ部材４０で押え込まれていた側の集積物の両側縁部の他方の雑誌の表紙同志の付着がはがされるようになる。
集積物の両側縁部の一方側のみの表紙同志が付着している場合には、付着している側の分離用のブラシ部材７０の回転ブラジ７５で付着をかき落とすようにすればよく、第１ステージまたは第２ステージの一方の分離用のブラシ部材７０は動作させる必要がない。また、そのような場合には、第１ステージまたは第２ステージの一方側の分離用のブラシ部材７０を設けないものであってもよい。
【００１９】
【発明の効果】
本発明にかかる集積物の分離装置によれば、分離用のブラジ部材の回転ブラシが、添え板部材から下方へ外れる雑誌を集積物側からかき落とすようにしたので、雑誌などの表紙同志の付着を分離する作業が自動的かつ確実になり、後工程において、雑誌などの冊数を的確に計数することができ、作業性を向上することができる。
【図面の簡単な説明】
【図１】本発明の一実施例を示す集積物の分離装置の正面図である。
【図２】本発明の一実施例を示す集積物の分離装置の平面図である。
【図３】本発明の一実施例を示す搬入コンベアの正面図である。
【図４】本発明の一実施例を示す集積物の分離装置の側面図である。
【図５】本発明の一実施例を示す集積物の分離装置の側面図である。
【図６】本発明の一実施例を示す集積物の分離装置の側面図である。
【図７】本発明の一実施例を示す集積物の分離装置の部分正面図である。
【図８】本発明の一実施例を示す集積物の分離装置の部分側面図である。
【図９】本発明の一実施例を示す集積物の分離装置の部分側面図である。
【符号の説明】
１０…集積物の分離装置
２０…搬入路
２１…搬入コンベア
３０…集積物の分離装置
４０…クランプ部材
５０…添え板部材
６０…間隔調整機構
７０…分離用のブラシ部材
７５…回転ブラシ
８０…エアノズル
【図１】
0003542630.tif 000002
【図２】
0003542630.tif 000003
【図３】
0003542630.tif 000004
【図４】
0003542630.tif 000005
【図５】
0003542630.tif 000006
【図６】
0003542630.tif 000007
【図７】
0003542630.tif 000008
【図８】
0003542630.tif 000009
【図９】
0003542630.tif 000010